(57)【要約】本発明のネットワークコンパーチブルユーザーインターフェースシステムは、患者の医療パラメータの表示と、医療パラメータイメージディスプレイのユーザーカスタマイズとを支援するためのものである。このシステムは、医療パラメータ、医療パラメータの値および該パラメータの測定単位を同定するラベルを含んだ複数のアイテムのユーザーエントリのためのフィールドを含んだ第１のウインドウが組み入れられているカスタマイズメニュと、ユーザー入力されたパラメータラベルによって同定されるパラメータの値、カスタマイズメニュを介したユーザーデータエントリおよびネットワークソースから導出可能な値が表示される新たなイメージメニュとを、作成するディスプレイジェネレータを含んでいる。ここでこの新たなイメージメニュには表示されたアイコンのユーザーによる選択に応じて表示が可能である。さらに取得プロセッサは、ネットワークソースからの医療パラメータ値を取得するためにネットワークソースと通信する。
2004525664.tif 000002
【特許請求の範囲】
【請求項１】
患者の医療パラメータを表示しかつ医療パラメータイメージディスプレイのユーザーカスタマイズをサポートするためのネットワークコンパーチブルユーザーインターフェースシステムにおいて、
医療パラメータと医療パラメータの値および該パラメータの測定単位を同定するラベルを含んだ複数のアイテムのユーザーエントリのためのフィールドを含んだ第１のウインドウが組み入れられたカスタマイズメニュと、
ユーザー入力されたパラメータラベルによって同定されるパラメータの値を表示し前記カスタマイズメニュを介したユーザーデータエントリとネットワークソースから導出可能な値を表示する新たなイメージメニュとを、
作成するディスプレイジェネレータが含まれており、
前記新たなイメージメニュは、表示されたアイコンのユーザーによる選択に応じて表示が可能であり、
さらに、ネットワークソースとの通信とネットワークソースからの医療パラメータ値取得のためのプロセッサが含まれていることを特徴とするシステム。
【請求項２】
前記ネットワークは、少なくとも１つのインターネット互換かまたはイントラネット互換のネットワークである、請求項１記載のシステム。
【請求項３】
先行して記憶されるパラメータ値は、新たなイメージメニュでの表示のために検索される、請求項１記載のシステム。
【請求項４】
前記医療パラメータは、ベンチレーション機能に割当てられるパラメータかデバイスセッティングを含んでいる、請求項１記載のシステム。
【請求項５】
前記カスタマイズメニュは、所定のパラメータリストの１つまたはそれ以上の値のユーザーエントリを許容するウインドウを含んだ複合的ウインドウである、請求項１記載のシステム。
【請求項６】
前記所定のリストには、ベンチレーションパラメータおよびセッティングが含まれている、請求項５記載のシステム。
【請求項７】
前記所定のリストには、さらに呼吸ガスパラメータが含まれる、請求項５記載のシステム。
【請求項８】
前記ディスプレイジェネレータは、インターネットブラウザである、請求項１記載のシステム。
【請求項９】
前記カスタマイズメニュは、データーベースに記憶されている所定のリストに対応するパラメータおよびセッティングの最後にセーブされたセットの値を検索し表示する、ユーザーによる選択の可能な第１のコントローラを含んでいる、請求項１記載のシステム。
【請求項１０】
前記カスタマイズメニュはさらに、所定のパラメータおよびセッティングリストに対応して新たに入力された値の記憶のための、ユーザーによる選択の可能な第２のコントローラを含んでいる、請求項９記載のシステム。
【請求項１１】
患者の医療パラメータを表示しかつ医療パラメータイメージディスプレイのユーザーカスタマイズをサポートするためのネットワークコンパーチブルユーザーインターフェースシステムにおいて、
システムパラメータの所定のリストの１つまたはそれ以上の値のユーザーエントリのためのフィールドを含んだ第１のウインドウと、
医療パラメータと医療パラメータの値および該パラメータの測定単位を同定するラベルを含んだ複数のアイテムのユーザーエントリのためのフィールドを含んだ第２のウインドウとを組み入れた、複合的ウインドウを含むカスタマイズメニュを作成し、
表示されたアイコンのユーザーによる選択に応じてカスタマイズメニュを介してユーザーから入力されるパラメータの値を表示する新たなイメージメニュとを作成する、
ディスプレイジェネレータが含まれていることを特徴とするシステム。
【請求項１２】
前記所定のパラメータのリストには、ベンチレーション機能およびベンチレーションデバイスセッティングと、呼吸ガス特性曲線のうちの１つに対応するパラメータが含まれる、請求項１１記載のシステム。
【請求項１３】
ネットワークソースとの通信とネットワークソースからのパラメータを定めるカスタマイズメニュを取得するためのプロセッサが含まれている、請求項１１記載のシステム。
【請求項１４】
患者の医療パラメータを表示しかつ医療パラメータイメージディスプレイのユーザーカスタマイズをサポートするためのネットワークコンパーチブルユーザーインターフェースシステムにおいて、
システムパラメータの所定のリストの１つまたはそれ以上の値のユーザーエントリのためのフィールドを含んだ第１のウインドウと、
医療パラメータと医療パラメータの値および該パラメータの測定単位を同定するラベルを含んだ複数のアイテムのユーザーエントリのためのフィールドを含んだ第２のウインドウとが組み入れられている複合的ウインドウを作成し、
表示されたアイコンのユーザーによる選択に応じてカスタマイズメニュを介してユーザーから入力されるパラメータの値を表示する新たなイメージメニュとを作成する、ディスプレイジェネレータが含まれており、
さらに、ネットワークソースとの通信とネットワークソースからの医療パラメータ値取得のためのプロセッサが含まれ、ここにおいて前記新たなイメージメニュは、前記プロセッサにより取得されデータベースに記憶されるパラメータ値と同じく、ユーザー入力されるパラメータ値のどちらも表示するように動作する、ことを特徴とするシステム。
【請求項１５】
前記医療パラメータは、ベンチレーション機能に割当てられるパラメータまたはデバイスセッティングを含んでいる、請求項１４記載のシステム。
【請求項１６】
前記医療パラメータおよびセッティングは、変化のあったパラメータと変化のあったセッティングが、異なったカラーで表されるように表示される、請求項１４記載のシステム。
【発明の詳細な説明】
【０００１】
本発明は、２０００年１１月１７日付で先行出願されたタイトル名“Ｖｅｎｔｉｌａｔｏｒ Ｉｎｐｕｔ”の米国特許出願第６０／２４８０８７号明細書に関連している。
【０００２】
発明の属する技術分野
本発明は医療情報を処理および表示する方法に関しており、より詳細に云えば、ネットワーク環境におけるベンチレーションユニットのデータを処理および表示する方法に関している。
【０００３】
発明の背景
病院やその他のヘルスケア環境においては、患者に関する種々の医療データを収集し表示することが頻繁に必要とされるしまた望まれる。そのような情報には、所定の患者に関する、検査室でのテスト結果や、ケアユニットデータ、診断および医療手順、ベンチレータ情報などが含まれる。ベンチレータないしベンチレーションユニットは通常は、呼吸ガスを用いた患者の肺の呼吸機能の補助に用いられており、患者自身の呼吸能力に何らかの支障が生じている場合に患者の支援に役立つ。ベンチレータを適切に管理するためには、介護者は最初にベンチレータに対する種々のセッティングをセットアップしなければならない。このベンチレータの制御に通常必要とされるセッティングの例としてあげられるものには、
・ピーク吸気圧“ＰＩＰ”セッティング：エアーを吸入する間のピーク圧を制限すること、
・ポジティブエンド呼気圧“ＰＥＥＰ”：エアーを吐き終わった時のピーク圧
が含まれる。他の多くのベンチレータのセッティングも同じ様に個々のベンチレーションユニットの能力に応じて制御される。
【０００４】
さらに、幾つかのベンチレータには種々のセンサが設けられており、これにより患者の介護者は患者の状況をベンチレータを介して監視することができる。通常監視されるベンチレータパラメータの例には、
・平均気道圧“ＭＡＰ”：呼吸サイクル中の気道内の測定平均圧
・吸入量“ＴＶｉ”：患者が通常の呼吸で吸入したガスの測定体積
が含まれる。他のベンチレータパラメータも同じ様に個々のベンチレーションユニットの精度に応じて制御される。
【０００５】
ベンチレータのパラメータやパラメータセッティング、ビューデフォルト（Ｖｉｅｗ ｄｅｆａｕｌｔ）パラメータの設定および調整する能力、並びにそれらのパラメータおよびセッティングをカスタマイズする能力は、患者の診断、評価および治療をアシストする医療データの監視に頼っている介護者にとって非常に重要である。従って、迅速でかつより効果的であり、ユーザーにとってもアクセスや更新がし易く、さらに複数のソースから供給される患者の医療パラメータのカスタマイズと表示が容易である装置および方法の提供が非常に望まれている。
【０００６】
発明の概要
本発明のネットワークコンパーチブルユーザーインターフェースシステムは、患者の医療パラメータの表示と、医療パラメータイメージディスプレイのユーザーカスタマイズとを支援するために提供されている。このシステムは、医療パラメータ、医療パラメータの値および該パラメータの測定単位を同定するラベルを含んだ複数のアイテムのユーザーエントリのためのフィールドを含んだ第１のウインドウが組み入れられているカスタマイズメニュと、
ユーザー入力されたパラメータラベルによって同定されるパラメータの値、カスタマイズメニュを介したユーザーデータエントリおよびネットワークソースから導出可能な値が表示される新たなイメージメニュとを、
作成するディスプレイジェネレータを含んでいる。ここでこの新たなイメージメニュには表示されたアイコンのユーザーによる選択に応じて表示が可能である。さらに取得プロセッサは、ネットワークソースからの医療パラメータ値を取得するためにネットワークソースと通信する。
【０００７】
別の観点では、本発明のシステムは、患者の医療パラメータを表示しかつ医療パラメータイメージディスプレイのユーザーカスタマイズをサポートするためのネットワークコンパーチブルユーザーインターフェースシステムにおいて、システムパラメータの所定のリストの１つまたはそれ以上の値のユーザーエントリのためのフィールドを含んだ第１のウインドウと、医療パラメータと医療パラメータの値および該パラメータの測定単位を同定するラベルを含んだ複数のアイテムのユーザーエントリのためのフィールドを含んだ第２のウインドウとを組み入れた、複合的ウインドウを含むカスタマイズメニュを作成し、表示されたアイコンのユーザーによる選択に応じてカスタマイズメニュを介してユーザーから入力されるパラメータの値を表示する新たなイメージメニュとを作成する、ディスプレイジェネレータが含まれている。
【０００８】
図面の説明
図１には本発明の方式による種々の機器の通信ネットワークのブロック図が示されており、
図２Ａ、Ｂには本発明によるシステムのフローチャートが示されており、
図３には本発明によるカスタマイズパラメータおよびセッティングの実施例が示されており、
図４には、本発明により表示されるベンチレータと患者に関するカスタマイズパラメータとセッティングの実施例が示されている。
【０００９】
詳細な説明
図１には本発明の方式による通信ネットワークのブロック図の例が示されている。図１に示されているように、通信ネットワーク１はインターネットプロトコル（ＩＰ）に互換性のあるネットワークとして表されており、相互に接続されたローカルエリアネットワークおよびワイドエリアネットワークの階層を有する。この実施例では、院内ネットワークまたは医療ネットワークはＩＰ互換のネットワークであるが、他のタイプのネットワーク、但しこれは限定を意味するものではないが、例えば光ネットワークまたは無線ネットワーク、または他のコンピュータプロトコルを使用するＸ．２５、フレームリレー、ＩＢＭ ＳＮＡなどであってもよい。つまり当業者が理解できるものであれば使用可能である。さらに、この実施例のネットワークは階層ネットワークであるが、このことも本発明にとって必ずしも要求されることではない。ネットワーク上のデバイス間の通信接続が提供されるものであれば、どのようなネットワークアーキテクチャであっても使用することができる。
【００１０】
図１に示されているように、この実施例の階層ネットワーク１の第１のレベルはメディカルインタフェースバス（ＭＩＢ）２を含んでいる。このＭＩＢは医療機器を局所的に相互接続するバスとして医療分野では周知の規格である。図１に示されているように、ＭＩＢ２は典型的には患者の病室の医療機器の相互接続に用いられ、特定の患者の看護が管理され、また監視される。種々の医療機器がＭＩＢ２を介して接続される。例えば図１の実施例ではベンチレータ６ａ、ＩＶ（Ｉｎｔｒａｖｅｎｏｕｓ； 静脈）ポンプ８または他の医療装置１０が含まれている。
【００１１】
ＭＩＢ２は、典型的には、第２レベルのＬＡＮネットワーク３へインタフェースドッキングステーション（ＩＤＳ）デバイス１２を介して接続されている。このデバイスはイーサネット互換ＬＡＮネットワーク３へのインタフェースのためのものである。より上位のレベルのＬＡＮ３は例えば“Ｓｉｅｍｅｎｓ Ｍｅｄｉｃａｌ Ｓｙｓｔｅｍ社”から市販されているインフィニティＬＡＮである。この上位レベルのＬＡＮ３は、必ずしも必要になるわけではないが、典型的には病院内の個々の部局毎、例えば集中治療室や外科病棟など医療機関の規模に応じて使用される。
【００１２】
図１には示されていないが、２つ以上のＭＩＢを第２レベルのＬＡＮ３へ接続すれば、ＬＡＮ３を介して２人以上の患者を監視または治療できるようになる。さらに、医療機器をより上位のレベルにあるＬＡＮ３へ直接接続してもよい。例えば、図１に示されているように、ベンチレータ６ｂと麻酔システム１３は直接的にＬＡＮ３へ接続され、ＭＩＢを介す必要はない。
【００１３】
さらに、ＬＡＮ３はイーサネットコンパチブルの院内ＬＡＮ中枢網４へ相互接続される。この中枢網４は病院または医療機関の種々の部局のあいだの通信接続を提供する。例えば病院管理システム１５がＬＡＢシステム１７とともに接続されている。さらに院内ＬＡＮ４はリモートアクセスゲートウェイ１９を有しており、このゲートウェイは例えば離れた所にある医師のオフィス２３または遠隔の看護サイト２４からの確実なリモートアクセスをネットワーク１の種々のシステムまたは機器へ例えばインターネット２９を介して接続する。また代替的に、遠隔サイトからはリモートアクセスゲートウェイ１９に直接にアクセスすることもできる。これは例えば電話ポートによるダイアルアップ接続、ＡＤＳＬまたは他のタイプのプライベートなコネクションにより行われる。リモートアクセスゲートウェイ１９は以下に詳述するように、周知の独立型ではなく、サーバ２０の一部であってもよい。
【００１４】
本発明の方式によれば、中央のサーバ２０はＬＡＮ３上にあってネットワーク１上のベンチレータおよび他の医療装置からのデータを収集および処理して、表示したり制御したりする。当該分野の技術者ならば、サーバ２０がネットワーク１の階層のどのレベルにも存在できることは容易に理解できよう。なぜならＬＡＮ３、４の種々のレベルも図１の遠隔サイトも相互に接続されているからである。サーバ２０の例として“Ｓｉｅｍｅｎｓ Ｍｅｄｉｃａｌ Ｓｙｓｔｅｍ”社の登録商標である“ＣｈａｒｔＡｓｓｉｓｔ Ｓｅｒｖｅｒ”が挙げられる。このサーバは例えばマイクロソフト社のＮＴオペレーティングシステムを実行できるコンピュータシステムによってサポートされる。
【００１５】
医療データと検査結果は、連続的にまたは周期的に取得され、所定の患者と相関され、サーバー２０内の関連データベース２５内へ記憶される。このデータベース２５は、マイクロソフトＳＱＬサーバーなどの関連データの記憶用に使用されるタイプである。
【００１６】
本発明の１つの実施例では、ユーザは図１のマイクロソフト社のウインドウズ互換のパソコン２６やウインドウズＮＴ互換のパソコン２７、あるいはウエブブラウザなどのメニュー作成プログラム（例えばマイクロソフト社のインターネットエクスプローラやネットスケープ社のナビゲータなど）を実行させることのできるコンピュータを使用して、所定の患者に関する医療パラメータや検査結果情報を見ることができる。つまりユーザはいずれかのコンピュータのウエブブラウザを用いて、サーバ２０との通信コネクションが形成されている限り、要求と閲覧が可能であり、取得した情報のデータベース２５への記憶が可能である。これは例えば医師が遠隔の医師のオフィス２３から検査テスト結果をアクセスするのにできるので有利である。もちろんユーザは単純にキーボード、マウスおよび／または他のユーザインタフェース機器を用いて周知のようにユーザコンピュータ上で選択または要求を入力することができる。
【００１７】
したがってサーバ２０は、ベンチレータデータを例えばＨＴＭＬ（ＨｙｐｅｒＴｅｘｔ Ｍａｒｋｕｐ Ｌａｎｇｕａｇｅ）形式のプログラミング言語との互換性を持たされるべくフォーマット化して、そのデータをウェブブラウザで表示することができる。つまりサーバは、要求形成のためのユーザ側ウェブブラウザに由来する例えばＨＴＴＰ（ＨｙｐｅｒＴｅｘｔ Ｔｒａｎｓｆｅｒ Ｐｒｏｔｏｃｏｌ）コマンドに応答することができる。
【００１８】
図２Ａ、図２Ｂにはフローチャートの形式で本発明にしたがってサーバ２０により実行される機能が示されている。サーバ２０はまずステップ２０２でネットワーク上の機器との通信を確立する。これは例えばＩＰプロトコルとネットワーク１上の各機器毎に既知のＩＰデバイスアドレスを使用して行われる。その際には周知の上位のアプリケーション層のプロトコルも関連して用いられる。
【００１９】
サーバ２０と他の機器との間の通信がいったん確立されると、サーバ２０は各ベンチレーションユニット（例えばネットワーク１上の６ａ、６ｂ）に対してモニタリングしているパラメータおよび選択されたセッティングの取得を開始する。
【００２０】
ベンチレータユニットのパラメータおよびセッティングをサーバ２０が各ベンチレータ６ａ、６ｂから取得する手段として２つの異なる手法が存在する。ステップ２０４では、ベンチレータデータは周期的に各ベンチレータ６ａ、６ｂから自動的に取得される。周期的に取得されたデータはサーバ２０内のデータベース２５内に記憶される。さらに、ステップ２０６で示されている“ＧＥＴ ＶＥＮＴＩＬＡＴＯＲ”の要求は、例えばユーザコンピュータ２６からサーバへ受信され、これは後で詳述する。この場合、サーバ２０はユーザコンピュータ２６がその時点で観察しているユニットの新たなベンチレーションユニットパラメータおよびセッティングを即座に取得するが、その際にはステップ２０８に示されているように、目下の更新期間の満了を待つ必要はない。この“Ｇｅｔ Ｖｅｎｔｉｌａｔｏｒ”の機能は、次の周期的な更新を待つ余裕のないクリティカルな場面で迅速な判断を行うのにリアルタイムデータがかかせないような時に特に有利である。
【００２１】
図４は、本発明に従ってユーザーコンピュータ２６のウエブブラウザ上でベンチレータセッティングとパラメータがどのように表示されるかに関する例を示したものである。
【００２２】
ユーザは特定のベンチレーションユニットへのアクセスを要求する。これは例えば所定の患者の名前やベッドのネットワーク上での特定と（例えば “ＢＥＲ”または“ＩＯＩ”， ベッド５など）、ベンチレータタブ３０１上の選択によって行われる。実施例として示されている図４のベンチレータイメージチャートディスプレイ４００は、ユーザがチャートアイコン３０６を選択した時のものである。この実施例のイメージメニューチャート３００では、左端の列に、表示すべきベンチレーションユニットパラメータの名称とセッティングが示されている。これらのパラメータとセッティングの値は残りの列３１０に時間順に示されている。各値がサンプリングされた時間は上方の行４１５に示されている。前述したように、“Ｇｅｔ Ｖｅｎｔｉｌａｔｏｒ”機能は、ベンチレータデータの取得のために要求される。この機能は、ユーザが図４の“Ｇｅｔ Ｖｅｎｔｉｌａｔｏｒ”アイコン４１７を選択することにより要求される。本発明の実施例では、“Ｇｅｔ Ｖｅｎｔｉｌａｔｏｒ”アイコン４１７は、院内ネットワーク１上で特定のベンチレータがサーバ２０によって認識された場合にのみアクティブとなり、ユーザコンピュータ２６上で選択可能となる。
【００２３】
表示されるベンチレータデータは図２Ｂに示されているように、付加的にサーバ２０によって処理される。図２Ｂのステップ２１０に示されているように、ベンチレータデータがいったん特定のベンチレータユニット（図１の６ａまたは６ｂ）から即座にまたは周期的に取得されると、サーバ２０は受信した当該ベンチレータユニットについてのパラメータおよびセッティングに優先付けを行う。サーバはこのベンチレータデータをユーザの要求に応じて優先付けし、例えばコンピュータ２６のウェブブラウザ上でデータのカスタマイズを以下のように行う。
【００２４】
ステップ２１２で、データが周期的に取得されている場合、サーバ２０は新たに取得されたパラメータおよびセッティングとデータベース２５内に記憶されている既存のもしくは先のパラメータおよびセッティングを比較する。ステップ２１３および２１４に示されているように、ベンチレーションユニットの少なくとも１つのパラメータまたはセッティングが変化している場合にのみ、新たなデータがデータベース２５内に記憶される。このことはデータベースと帯域幅の有効利用を可能にする。しかしながらステップ２１１、２１４で示されているように、“Ｇｅｔ Ｖｅｎｔｉｌａｔｏｒ”コマンドに応じてデータが取得された場合には、データの変化の有無を見るための比較なしで、サーバ２０は当該のデータを記憶する。
【００２５】
実施例においては、ベンチレータパラメータは頻繁に変化する傾向にある（例えばＴＶｉは患者の吸入ごとに異なる）が、他方ではベンチレータのセッティングは頻繁には変化しないことがわかた。それ故、パラメータでなく少なくとも１つのベンチレータのセッティングが変化したときにのみデータを周期的に表示すれば（つまり変化を強調する）、介護者にとってはより有意義であると考えられる。したがって本発明の１つの実施例では、ステップ２１３に示されているように、ベンチレータパラメータが変化したか否かにかかわらず、少なくとも１つのセッティングが変化した場合にのみベンチレータデータが表示のために記憶される。
【００２６】
ステップ２１５ではサーバ２０が、ベンチレーションユニットの旧いパラメータおよびセッティングから変化した新たなベンチレーションユニットパラメータおよびセッティングを区別するために属性を割り当てる。この実施例では属性が色で表示される。つまり図４に示されているベンチレータイメージチャートがコンピュータ２６を介して表示を要求されると、ベンチレータデータにはウェブブラウザ上でカラーコード化され、それによってユーザは新たなデータに変化のあることを区別できるようになる。例えばスクリーンに表示されている旧いデータがある１つの色（例えば黒）で表示され、時間の経過と共に１列ずつ左へずれていくものとすると、変化のあった新たなデータはその時点を表す列において他の色（例えば青）で表示される。
【００２７】
次に図３には、マニュアルエントリも含めて多種多様なソースから取得されたデータをシングルカスタマイズ可能なディスプレイへ統合するための、ユーザーコンピュータのウエブブラウザ上で表示可能なユーザーインターフェースカスタマイズスクリーン３００の実施例が示されている。基本的にこのカスタマイズディスプレイ３００は、データの２つのクラスのマニュアルエントリを受入れる。第１のクラスには、ベッドサイドの所定の患者に割当てられたベンチレータユニットまたは監視装置などのネットワークソースを介して取得されるシステムパラメータデータが含まれ、第２のクラスには、ユーザーによって定められるカスタムパラメータが含まれる。３つの一次コントロール、“Ｇｅｔ Ｌａｓｔ”コントロール３７０、“Ｓｅｔ／Ｇｅｔ Ｄｅｆａｕｌｔｓ Ｄｅｆａｕｌｔｓ”コントロール３５０／３６０、“Ａｃｃｅｐｔ”コントロール３４０は、ユーザーが定めるデータクラスとシステムの両方に対してマニュアル入力されるデータの反復的エントリをユーザーが管理できるように機能している。
【００２８】
図３に示されているように、カスタマイズスクリーンディスプレイ３００へのアクセスは、“Ｖｅｎｔｉｌａｔｏｒ”タブ３０１から“Ｃｒｅａｔｅ”タブ３０５のユーザーによる選択を介して達成される。スクリーン上に入力される値のユーザーアクセプタンスは、データベース２５内へ入力値を記憶し、ベンチレータイメージチャートディスプレイ４００（図４）内のシングルカラムエントリ（例えば４１０１）として表示するためにそれらの値の検索を引き起こす。
【００２９】
次に患者の医療パラメータ表示し、本発明の方式による医療パラメータイメージ表示のユーザーカスタマイズをサポートする、ネットワーク互換のユーザーインターフェースシステムを表わす実施例を以下に説明する。有利には、データのカスタマイズは、ユーザーコンピュータ上でのウエブブラウザを介して提供され、これはカスタマイズスクリーン３００の表示において、“Ｖｅｎｔｉｌａｔｏｒ”タブから“Ｃｒｅａｔｅ”タブへの選択によるユーザーの要求に応じて行われる。図示のように、ディスプレイ３００は、患者（３１６０）に割当てる選択されたベンチレータ毎に種々のベンチレータパラメータとセッティングを含んでいる。このカスタマイズメニュー３００には、基本的なベンチレーションパラメータおよびセッティングを含むシステムパラメータを含んだ第１のウインドウ部分３１０と、血液ガスパラメータおよびセッティングを含んだ第２のウインドウ部分３２０が組み入れられている。第３のウインドウ部分３３０は、３つの領域列に表わされたカスタムパラメータを含んでいる。ウインドウ部分３１０，３２０で示されているように基本的なベンチレーションパラメータおよびセッティングと、血液ガスパラメータおよびセッティングは、パラメータラベル３１２、バリューエントリフィールド３１４，測定システム単位３１６からなっている。バリューフィールド３１４は、ウインドウ部分３１０，３２０内のユーザーエントリフィールドのみを表している。パラメータラベル３１２と測定単位３１６は、データベース２５とスクリーン３００上のディスプレイに含まれる静的なパラメータおよび／またはセッティングを表す。カスタマイズパラメータウインドウ部分３３０は、パラメータ／セッティングラベルフィールド３３２と、パラメータ／セッティングバリューフィールド３３４と、パラメータ／セッティング測定単位３３６を含んでいる。ここで各フィールド３３２，３３４，３３６はユーザーエントリを許容していることを述べておく。ウインドウ部分３３０のその後の列は、後で検索しカスタマイズスクリーン３００とベンチレータイメージチャートディスプレイ４００の両方を介して表示させるための付加的なカスタムパラメータ、値、測定単位のユーザーエントリを許容している。このことは例えば次のようなことから有利である。すなわちシステムを介しては認識されていないが所定の患者のベッドサイドで取得することのできるベンチレータパラメータやベンチレータの所定のパラメータおよびセッティングを表示するのに対して有利である。
【００３０】
カスタムパラメータ／セッティング、値、単位（３３２，３３４，３３６）のエントリとコントロール機能“Ａｃｃｅｐｔ”３４０の選択によって、新たに作成されたパラメータがデフォルトパラメータとしてデータベース２５にセーブされる。これらのパラメータは、入力タブ“Ｖｅｎｔｉｌａｔｏｒ”３０１、“Ｃｒｅａｔｅ”３０５のアクセスによっていつでも検索され表示される。付加的にウエブブラウザ表示形成ソフトウエアは、ユーザーの“Ａｃｃｅｐｔ”３４０に応じて動作し、要求と表示によって新たに作成／更新されたパラメータまたはセッティングが所定の患者に対応するネットワークから取得された他の全てのベンチレータパラメータおよびセッティングも加えてベンチレータチャートディスプレイ４００に表示される。
【００３１】
“Ｓｅｔ Ｄｅｆａｕｌｔ”コントロール機能３５０の選択は、ユーザー入力によるカスタムパラメータ／値／単位をウインドウ部分３３０のそれらのデータベース内に記憶させるべく動作する。これは後からの“Ｇｅｔ Ｄｅｆａｕｌｔｓ”コントロール機能３６０を介したアクセスと検索のためのものである。“Ｇｅｔ Ｌａｓｔ”コントロール機能３７０は、データベース２５からの検索に対するユーザーの選択に応じ、最後にセーブされた基本セットである、血液ガス、カスタムバリューおよびパラメータセッティングが現下のエントリと更新に対する開始時点として、対応するウインドウ部分３１０，３２０，３３０に表示される。これらの値は、編集されたり、ベンチレータチャートイメージディスプレイ（４００）上で新たなベンチレータチャートイメージエントリとしてセーブされる。先に述べたように、“Ａｃｃｅｐｔ”機能３４０は、ベンチレータイメージチャートディスプレイ４００への新たなチャートエントリとしてウインドウ部分３１０，３２０，３３０に含まれる目下の表示データをセーブすべく動作する。より詳細には、データパラメータバリュー３１４の各々に対応する、データパラメータ／セッティングのユーザーエントリおよび／または変更と、カスタムパラメータ／セッティング３３２，３３４，３３６および“Ａｃｃｅｐｔ”コントロール機能の選択の結果として、ベンチレータソースからの管理されたなんらかの値と同じくマニュアル入力された値に対応してベンチレータチャートイメージディスプレイ４００で生成され表示されるパラメータデータの新たなカラム４１０１が得られる。“Ｃａｎｃｅｌ”コントロール機能３８０の選択は表示データのセーブなしでカスタマイズスクリーン３００から離れる動作となる。
【００３２】
図４に示されているように、ベンチレータチャートイメージディスプレイ４００は、ユーザーが入力したパラメータラベルによって同定されるパラメータの値を表示させ、そこではこれらの値がカスタマイズメニュー３００（図３）を介したユーザーデータエントリと、ネットワークを介して患者に配属されたベンチレータまたはモニタリングデバイスなどのネットワークソースから導出される。ベンチレータチャートイメージディスプレイ４００は、“Ｖｅｎｔｉｌａｔｏｒ”タブ／アイコン３０１と“Ｃｈａｒｔ”サブタブ３０６のユーザーによる選択に応じてアクティブになる。前述したように、ベンチレータチャートイメージディスプレイ４００は、“Ａｃｃｅｐｔ”コントロール機能３４０（図３）の選択に応じてアクティブになる。これはシステムに新たなベンチレータデータの取得と表示を行わせ、前述の“Ｇｅｔ Ｖｅｎｔｉｌａｔｏｒ”機能に類似している。カラム４１０１（図４）は、そのような選択の結果を表しており、それには“ＰＥＥＰ ｓｅｔ”３１２１（値１０．７）や“ＭＡＰ”パラメータ３１２２（値２２）、並びに新たに作成された“ＡＱ”カスタムパラメータ３３０１とその対応する数値９８などが含まれている。さらにそれに加えて本発明によるシステムは、所定のベンチレータユニット４１９および患者３１６０に割当てられたその他のセッティングおよびパラメータ（３１２３など）も全て、当該の新たなカラム４１０１内で取得し表示することができる。
【００３３】
上述の種々の実施例およびその変形例は例示に過ぎず、当該の技術分野の技術者であれば、本発明の範囲を逸脱することなく多種多様な修正や変更を行えることを理解されたい。
【図面の簡単な説明】
【図１】
本発明の方式による種々の機器の通信ネットワークのブロック図が示されている。
【図２Ａ】
本発明によるシステムのフローチャートが示されている。
【図２Ｂ】
本発明によるシステムのフローチャートが示されている。
【図３】
本発明によるカスタマイズパラメータおよびセッティングの実施例が示されている。
【図４】
本発明により表示されるベンチレータと患者に関するカスタマイズパラメータとセッティングの実施例が示されている。
【図１】
2004525664.tif 000003
【図２Ａ】
2004525664.tif 000004
【図２Ｂ】
2004525664.tif 000005
【国際公開パンフレット】
2004525664.tif 000006
2004525664.tif 000007
2004525664.tif 000008
2004525664.tif 000009
2004525664.tif 000010
2004525664.tif 000011
2004525664.tif 000012
2004525664.tif 000013
2004525664.tif 000014
2004525664.tif 000015
2004525664.tif 000016
2004525664.tif 000017
2004525664.tif 000018
2004525664.tif 000019
2004525664.tif 000020
2004525664.tif 000021
2004525664.tif 000022
2004525664.tif 000023
2004525664.tif 000024
2004525664.tif 000025
2004525664.tif 000026
2004525664.tif 000027
2004525664.tif 000028
2004525664.tif 000029
2004525664.tif 000030
2004525664.tif 000031
2004525664.tif 000032
【国際公開パンフレット（コレクトバージョン）】
2004525664.tif 000033
2004525664.tif 000034
2004525664.tif 000035
2004525664.tif 000036
2004525664.tif 000037
2004525664.tif 000038
2004525664.tif 000039
2004525664.tif 000040
2004525664.tif 000041
2004525664.tif 000042
2004525664.tif 000043
2004525664.tif 000044
2004525664.tif 000045
2004525664.tif 000046
2004525664.tif 000047
2004525664.tif 000048
2004525664.tif 000049
2004525664.tif 000050
2004525664.tif 000051
2004525664.tif 000052
2004525664.tif 000053
2004525664.tif 000054
2004525664.tif 000055
2004525664.tif 000056
2004525664.tif 000057
2004525664.tif 000058
2004525664.tif 000059
【国際公開パンフレット（コレクトバージョン）】
2004525664.tif 000060
2004525664.tif 000061
【国際調査報告】
2004525664.tif 000062
2004525664.tif 000063
2004525664.tif 000064